(57)【要約】【課題】電子装置の高電力を高速伝送でき、小型化可能なソケット、プラグ、及びコネクタ装置を提供することを目的とする。【解決手段】本発明のソケットは、絶縁ハウジングと、第一収容空間、及び前記第一収容空間と連通し、前記第一収容空間よりも大きい第二収容空間を含み、絶縁ハウジングに凹んで形成される収容空間と、互いに平行に配置される前記第一収容空間に収容される第一舌状部、及び前記第二収容空間に収容される第二舌状部を含み、前記収容空間に突出し配置される舌状部と、前記舌状部にそれぞれ装着される端子と、を含み、前記端子は、第一舌状部の取付壁に装着される第一端子と、第二舌状部の上下壁に装着される第二端子と、舌状部の側壁に装着される第三端子と、を含み、第一端子は第一収容空間に露出する接触部を含み、第二端子は第二収容空間に突出して露出する接触部を含む。【選択図】図４
2010010129.tif 000002
【特許請求の範囲】
【請求項１】
絶縁ハウジングと、
第一収容空間、及び前記第一収容空間と連通すると共に前記第一収容空間よりも大きい第二収容空間を含み、前記絶縁ハウジングに凹んで形成される収容空間と、
互いに平行に配置される、前記第一収容空間に収容される第一舌状部、及び前記第二収容空間に収容される第二舌状部を含み、前記収容空間に突出して配置される舌状部と、
前記舌状部それぞれに装着される端子と、を含むソケットにおいて、
前記端子は、前記第一舌状部の取付壁に装着される第一端子と、
前記第二舌状部の上下壁それぞれに装着される第二端子と、
前記舌状部の両側壁に装着される第三端子と、を含み、
前記第一端子は、前記第一収容空間に露出する接触部を含み、
前記第二端子は、前記第二収容空間に突出して露出する接触部を含み、
前記第三端子は、前記第二収容空間に突出して露出する接触部を含む、ことを特徴とするソケット。
【請求項２】
前記第三端子の前記接触部は、弾性変形可能であることを特徴とする請求項１に記載のソケット。
【請求項３】
前記第一舌状部は、前記第二舌状部の上方に配置されると共に、前記第一舌状部の下表面に位置する前記取付壁は、第二舌状部の頂壁に対向するように配置されることを特徴とする請求項１に記載のソケット。
【請求項４】
前記第二舌状部の厚さは、前記第一舌状部の厚さより厚いことを特徴とする請求項１に記載のソケット。
【請求項５】
前記第一端子は、その中央の接地端子と、前記接地端子の両側の一対の差動信号端子とを含むことを特徴とする請求項１に記載のソケット。
【請求項６】
絶縁本体と、
前記絶縁本体に凹んで形成される第一収容空間と、
前記第一収容空間より大きい第二収容空間と、
前記第一収容空間と前記第二収容空間とを分割し、第一側面及び第二側面を有する隔離板と、
前記第一収容空間と前記第二収容空間との外周を覆う金属シェルと、を含むプラグにおいて、
前記隔離板の第一側面には、前記第一収容空間に露出するコンタクト部を有する第一接続端子が装着され、
前記絶縁本体は、前記隔離板の前記第二側面と対向するように配置される底板と、
前記第二収容空間の側部に位置する側壁と、を含み、
前記隔離板の前記第二側面と前記底板とには、前記第二収容空間に露出するコンタクト部を有する第二接続端子がそれぞれ装着され、
前記絶縁本体の両側壁には、前記第二収容空間に露出するコンタクト部を含む第三接続端子が装着されることを特徴とするプラグ。
【請求項７】
前記第三接続端子は電子装置の高電力を伝送するのに用いられ、前記第三接続端子の前記コンタクト部は平板状であることを特徴とする請求項６に記載のプラグ。
【請求項８】
前記第一接続端子は、その中央の接地端子と、前記接地端子の両側の差動信号端子とを含むことを特徴とする請求項６に記載のプラグ。
【請求項９】
前記第一接続端子の前記コンタクト部は弾性変形可能であり、前記第二接続端子のコンタクト部は平板状であることを特徴とする請求項６に記載のプラグ。
【請求項１０】
前記第一収容空間は前記隔離板と金属シェルとで包囲して形成され、前記第二収容空間は絶縁本体のみで形成されることを特徴とする請求項６に記載のプラグ。
【請求項１１】
ソケットと、前記ソケットに挿入されるプラグとで構成されるコネクタ装置において、
前記ソケットは、
絶縁ハウジングと、
第一収容空間、及び前記第一収容空間と連通すると共に前記第一収容空間よりも大きい第二収容空間とを含み、前記絶縁ハウジングに凹んで形成される収容空間と、
互いに平行に配置される、前記第一収容空間に収容される第一舌状部、及び前記第二収容空間に収容される第二舌状部を含み、前記収容空間に突出し配置される舌状部と、
前記舌状部それぞれに装着される端子と、を含み、
前記端子は、前記第一舌状部の取付壁に装着される第一端子と、
前記第二舌状部の上下壁それぞれに装着される第二端子と、
前記舌状部の両側壁に装着される第三端子と、を含み、
前記第一端子は、前記第一収容空間に露出する接触部を含み、
前記第二端子は、前記第二収容空間に突出して露出する接触部を含み、
前記第三端子は、前記第二収容空間に突出して露出する接触部を含み、
前記プラグは、
絶縁本体と、
前記絶縁本体に凹んで形成される第一収容空間と、
前記第一収容空間より大きい第二収容空間と、
前記第一収容空間と前記第二収容空間とを分割し、第一側面及び第二側面を有する隔離板と、
前記第一収容空間と前記第二収容空間との外周を覆う金属シェルと、を含み、
前記隔離板の前記第一側面には、前記第一空間に露出するコンタクト部を有すると共に、前記ソケットの前記第一端子に接続される第一接続端子が装着され、
前記絶縁本体は、前記隔離板の前記第二側面と対向するように配置される底板と、
前記第二収容空間の側部に位置する側壁と、を含み、
前記隔離板の前記第二側面と前記底板とには、前記第二収容空間に露出するコンタクト部を有し、前記ソケットの前記第二端子に接続される第二接続端子がそれぞれ装着され、
前記絶縁本体の前記側壁には、前記第二収容空間に露出するコンタクト部を有し、前記ソケットの前記第三端子に接続される第三接続端子が装着されることを特徴とするコネクタ装置。
【請求項１２】
前記ソケットの前記第一端子と、該第一端子に接続される前記プラグの前記第一接続端子とは、その中央の接地端子と、前記接地端子の両側の一対の差動信号端子とを含むことを特徴とする請求項１１に記載のコネクタ装置。
【請求項１３】
前記ソケットの前記第一端子の前記接触部は平板状を呈し、前記第一端子の前記接触部に接続される前記プラグの前記第一接続端子の前記コンタクトは弾性変形可能であり、
前記ソケットの前記第二端子の前記接触部は弾性変形可能であり、前記第二端子の前記接触部に接続される前記プラグの前記第二接続端子の前記コンタクト部は平板状を呈することを特徴とする請求項１１に記載のコネクタ装置。
【請求項１４】
前記ソケットの前記第二舌状部の両側には前記第三端子がそれぞれ配置され、前記プラグの前記第二収容空間の両側には前記第三端子に接続される前記第三接続端子がそれぞれ配置され、前記第三端子の前記接触部は弾性変形可能であり、前記プラグの前記第三接続端子は平板状を呈し、前記第三端子と前記第三接続端子とが接続することによって、電子装置の高電力を伝送することを特徴とする請求項１１に記載のコネクタ装置。
【発明の詳細な説明】
【技術分野】
【０００１】
本発明は、ソケット、該ソケットに接続されるプラグ、及びこれらを備えるコネクタ装置に関し、特に、ＵＳＢ（Universal Serial Bus）のインターフェース規格に準拠したソケット、プラグ、及びコネクタ装置に関する。
【背景技術】
【０００２】
従来から、キーボード、マウス、又はモデム等の周辺機器と、パソコンと、情報家電製品（ＩＡ：Information Appliance）との間を結ぶデータ伝送方法の一つとして、ＵＳＢ規格に準拠したＵＳＢインターフェースが広く用いられている。
【０００３】
このＵＳＢを用いると、パソコンを中心に、キーボード、マウス、モデム、又はジョイスティック等の周辺機器を１つのインターフェースで接続できるうえに、接続が簡単で、且つ部品コストが安いなどの特徴を享受できる。
【０００４】
周知のＵＳＢコネクタ装置は、ＵＳＢインターフェース規格に準拠するプラグ（以下、ＵＳＢプラグと称する）と、ＵＳＢプラグに接続される、ＵＳＢインターフェース規格に準拠するソケット（以下、ＵＳＢソケットと称する）とを有している。
【０００５】
図１６を参照すると、従来のＵＳＢプラグ（Ｂタイプ）４００は、例えば携帯型ディスク、ＭＰ３プレイヤー、或いは録音ペン等の記憶媒体に接続されるケーブルの先端に設けられ、内表面に複数の接続端子４３が固定されたハウジング（図示せず）を、環状の金属ケース層４４で被覆することにより形成されている。 ハウジングの内部には、ＵＳＢソケットを挿入する挿入空間４２が形成され、前記接続端子４３は平板状で挿入空間４２に露出する。ＵＳＢプラグ４００の一側の角には、面取り壁４５が設けられる。
【０００６】
一方、ＵＳＢプラグ４００が接続されるＵＳＢソケット３００（Ｂタイプ）には、ＵＳＢプラグ４００の金属ケース層４４を外嵌する金属製のケース３４と、ケース３４により周囲を被覆されると共にＵＳＢプラグ４００の挿入空間４２に挿入される支持舌板部３２とが設けられ、支持舌板部３２の上下表面に、接続端子４３と接続するコンタクトピン３３が配設され、前記コンタクトピン３３は、ＵＳＢソケット３００の収容空間３１に突出するように露出しており、ＵＳＢプラグをＵＳＢソケットに接続した際に接続端子４３と接続する。
【０００７】
ＵＳＢソケット３００の一側の角に、ＵＳＢプラグ４００の面取り壁４５に対応する面取り壁３５が設けられ、これによって、ＵＳＢプラグ４００とＵＳＢソケット３００との誤挿着を防止できる。
【先行技術文献】
【特許文献】
【０００８】
【特許文献１】特開第２００７−５９３００号公報
【発明の概要】
【発明が解決しようとする課題】
【０００９】
ＵＳＢプラグ４００をＵＳＢソケット３００に挿入することによって互いに接続される、複数の接続端子４３とコンタクトピン３３とは、それぞれ、ＶＣＣ電源回路、ＧＮＤ電源回路、Ｄ＋データ伝送回路、及びＤ−データ伝送回路用の端子である。Ｄ＋データ伝送回路用端子及びＤ−データ伝送回路用端子はデータ伝送に用いられ、ＶＣＣ電源回路用端子及びＧＮＤ電源回路用端子は、ＵＳＢホスト或いは電源供給器から提供される作業電流を受け取ることができる。しかしながら、従来のＵＳＢソケット３００は、一般的にパソコンの回路基板に実装され、約５Ｖ程度の電力伝送しかできず、５Ｖより高い電力を伝送できない。ＵＳＢインターフェイス規格に準拠するコネクタ装置が広く使用されるに伴い、パソコンを除く他の電子装置にも広く使用されるようになり、これら電子装置の高い電力を伝送できることが必要になっている。
【００１０】
電子産業の発展に伴い、ＵＳＢ２.０規格に準拠するコネクタの伝送速度は、産業界の要求を満足できていない。例えば、音楽や映画を伝送する場合には、１Gbps以上の伝送速度が要求される。この時、従来のＵＳＢコネクタ装置が、必要な伝送速度を満たしていないと、伝送速度は制限される。したがって、従来のＵＳＢコネクタ装置を兼用し、高速伝送できるコネクタ装置を開発することが必要である。
【００１１】
本発明は、係る点に鑑みてなされたものであり、電子装置の高電力を高速伝送でき、小型化可能なソケット、プラグ、及びコネクタ装置を提供することを目的とする。
【課題を解決するための手段】
【００１２】
本発明のソケットは、絶縁ハウジングと、第一収容空間と、前記第一収容空間と連通すると共に、前記第一収容空間よりも大きい前記第二収容空間とを含む。さらに、前記ソケットは、前記絶縁ハウジングに凹んで形成される収容空間で、互いに平行に配置され、前記第一収容空間に収容される第一舌状部と、前記第二収容空間に収容される第二舌状部とを含む。さらに、前記収容空間に突出して位置する舌状部と、前記舌状部にそれぞれ装着される端子とを含む前記ソケットにおいて、前記端子は、前記第一舌状部の取付壁に装着される第一端子と、前記第二舌状部の上下壁に装着される第二端子と、前記第二舌状部の側壁に装着される第三端子とを含み、前記第一端子は前記第一収容空間に露出する接触部を含み、前記第二端子は前記第二収容空間に突出して露出する接触部を含む構成を採る。
【００１３】
本発明のプラグは、絶縁本体と、前記絶縁本体に凹んで形成される第一収容空間と、前記第一収容空間より大きい第二収容空間と、前記第一収容空間と第二収容空間とを分割し、第一側面及び第二側面を有する隔離板と、前記隔離板の第一側面に装着され、前記第一収容空間に露出するコンタクト部を有する第一接続端子と、前記第一収容空間と第二収容空間との外周を覆う金属シェルを含むプラグであって、前記絶縁本体は、前記隔離板の第二側面と対向するように配置される底板と、前記第二収容空間の側部に位置する側壁と、を含み、前記隔離板の第二側面と前記底板とには、前記第二収容空間に露出するコンタクト部を有する第二接続端子がそれぞれ装着され、前記絶縁本体の側壁には、前記第二収容空間に露出するコンタクト部を含む第三接続端子が装着される構成を採る。
【００１４】
本発明のソケットと、前記ソケットに挿入されるプラグとで構成されるコネクタ装置において、前記ソケットは、絶縁ハウジングと、第一収容空間と、前記第一収容空間と連通すると共に、前記第一収容空間よりも大きい第二収容空間とを含む。さらに前記ソケットは、前記絶縁ハウジングに凹んで形成される収容空間と平行に配置され、前記第一収容空間に収容される第一舌状部と、前記第二収容空間に収容される第二舌状部とを含む。さらに、前記収容空間に突出して位置する舌状部と、前記舌状部にそれぞれ装着される端子とを含む前記ソケットにおいて、前記端子は、前記第一舌状部の取付壁に装着される第一端子と、前記第二舌状部の上下壁に装着される第二端子と、前記第二舌状部の側壁に装着される第三端子とを含み、前記第一端子は前記第一収容空間に露出する接触部を含み、前記第二端子は前記第二収容空間に露出する接触部を含む構成を採る。前記プラグは、絶縁本体と、前記絶縁本体に凹んで形成される第一収容空間と、前記第一収容空間より大きい第二収容空間と、前記第一収容空間と第二収容空間とを分割すると共に第一側面及び第二側面を有する隔離板と、前記隔離板の第一側面に装着され、前記第一収容空間に露出するコンタクト部を有すると共に前記ソケットの第一端子に接続される第一接続端子と、前記第一収容空間と第二収容空間との外周を覆う金属シェルとを含むプラグであって、前記絶縁本体は、前記隔離板の第二側面と対向するように配置される底板と、前記第二収容空間の側部に位置する側壁とを含み、前記隔離板の第二側面と前記底板とには、前記第二収容空間に露出するコンタクト部を有すると共に前記ソケットの第二端子に接続される第二接続端子がそれぞれ装着され、前記絶縁本体の側壁には、前記第二収容空間に露出するコンタクト部を有すると共に前記ソケットの第三端子に接続される第三接続端子が装着される構成を採る。
【発明の効果】
【００１５】
従来技術に比べ、本発明は以下の利点を有する。第一に、ソケットの第三端子とプラグの第三接続端子とを増加することにより、電子装置の高電力を伝送でき、高電力使用に対する要求を満足できる。第二に、第三端子がソケットの第二舌状部の両側に配置されると共にプラグの第三接続端子が第二収容空間の両側に配置されるので、特別な取付部の増加が不要であり、コネクタ装置の小型化が可能となる。第三に、コネクタ装置は、ソケットの第一端子とプラグの第一接続端子とを増加することによって、従来のＵＳＢインターフェース規格（Ｂタイプ）に準拠するコネクタ装置より伝送速度が更に速くなる。
【図面の簡単な説明】
【００１６】
【図１】本発明に係るソケットの組立斜視図である。
【図２】本発明に係るソケットの分解斜視図である。
【図３】図２に示すソケットを他の角度から見た分解斜視図である。
【図４】図１に示すソケットの正面図である。
【図５】図１に示すソケットの平面図である。
【図６】本発明に係るプラグの組立斜視図である。
【図７】本発明に係るプラグの分解斜視図である。
【図８】図７に示すプラグを他の角度から見た分解斜視図である。
【図９】図６に示すプラグの正面図である。
【図１０】本発明に係るプラグがソケットに挿入される時の組立斜視図である。
【図１１】図１０に示すＡ−Ａ線に沿う断面図である。
【図１２】図１０に示すＢ−Ｂ線に沿う断面図である。
【図１３】従来のＵＳＢソケット（Ｂタイプ）の組立斜視図である。
【図１４】図１３に示す従来のＵＳＢソケット（Ｂタイプ）の正面図である。
【図１５】図１３に示す従来のＵＳＢソケット（Ｂタイプ）の平面図である。
【図１６】図１３に示す従来のＵＳＢソケット（Ｂタイプ）と嵌合する、従来のＵＳＢプラグ（Ｂタイプ）の組立斜視図である。
【発明を実施するための形態】
【００１７】
以下、本発明についての実施形態を詳細に説明する。各実施形態における先端側、基端側は、プラグ２００においては挿入方向側の端部を先端とし、ソケット１００においては挿入されるプラグ２００側を先端として説明する。
【００１８】
図１０を参照すると、本発明のコネクタ装置は、回路基板（図示せず）に実装され得るソケット１００と、ソケット１００と嵌合するプラグ２００とを含み、ソケット１００は、絶縁ハウジング１と、絶縁ハウジング１に装着される第一端子２及び第二端子３と、電子装置の高電力を伝送する第三端子２４と、絶縁ハウジング１を包囲すると共に静電気放電を防止できる金属シェル４と、を含む。
【００１９】
図１乃至図４を参照すると、ソケット１００の絶縁ハウジング１は、主体部１０と、主体部１０から先端側へ延在する第一舌状部１１及び第二舌状部１２を有する舌状部（参照記号なし）と、を含む。絶縁ハウジング１には、前記第一舌状部１１と第二舌状部１２とをそれぞれ収容するための、第一収容空間１１０と第二収容空間１２０とを含む収容空間（参照記号なし）が凹んで形成される。前記第一収容空間１１０と第二収容空間１２０とは、連通するように形成され、図４を参照すると、第一収容空間１１０の幅Ｗ１は第二収容空間１２０の幅Ｗ２より小さく、第二収容空間１２０の高さＨ２は第一収容空間１１０の高さＨ１より高い。
【００２０】
前記第一収容空間１１０は矩形形状を呈しており、第二収容空間１２０は、第一収容空間１１０と連通する箇所の左右側角部に、斜部１３と、角部１４とをそれぞれ設ける。図９を参照すると、プラグ２００の挿入方向に対して垂直な方向において、ソケット１００の斜部１３と角部１４とは、前記第一舌状部１１と前記第二舌状部１２との間に配置される。斜部１３及び角部１４により、従来のＵＳＢプラグ（Ｂタイプ）４００が、第二収容空間１２０に誤挿入されることを防止できる。
【００２１】
図１乃至図４を参照すると、第一舌状部１１は第二舌状部１２の上方に位置し、第一舌状部１１の厚さは第二舌状部１２より薄い。第一舌状部１１の第二舌状部１２に対向する取付壁１１１には、第一端子２を装着するための第一収容溝１１２が設けられる。第一収容溝１２１は五本形成され、五本の第一端子２を装着している。
【００２２】
第二舌状部１２は、前記第一舌状部１１の取付壁１１１に対向する頂壁１２１と、回路基板に対向する底壁１２２と、頂壁１２１及び底壁１２２を連接するための両側壁１２５とを含む。前記頂壁１２１及び底壁１２２には、第二端子３を装着するための第二収容溝１２３及び１２４がそれぞれ凹んで形成される。前記頂壁１２１の第二収容溝１２３と底壁１２２の第二収容溝１２４とは、各々、二本形成され、二本の第二端子３をそれぞれ装着している。第二舌状部１２の両側壁１２５には、前記第三端子２４を装着するための受入溝１２６がそれぞれ形成される。
【００２３】
前記第一端子２は、平板状の接触部２１と、接触部２１から後向きに延在し、折曲がる連接部２２と、回路基板に接続するための端子部２３とを含む。第一端子２は前記絶縁ハウジング１の第一収容溝１１２に装着され、接触部２１は第一舌状部１１の取付壁１１１に貼り付けられ、相手プラグ２００と接続するように第一収容空間１１０に露出する。
【００２４】
第一端子２は、高速伝送可能な五本の端子からなり、中央の接地端子（参照記号なし）は、両側の一対の差動信号端子（参照記号なし）よりも第一舌状部１１の先端側に長く、これによって、プラグ２００をソケット１００に挿入し接続する時に、接地端子が信号端子よりも先に接続されるので、静電気放電を防止できる。
【００２５】
第二端子３は、従来のＵＳＢインターフェースと同様に構成された、ＶＣＣ電源端子、ＧＮＤ電源端子、Ｄ＋データ伝送端子及びＤ−データ伝送端子である複数の接続端子からなり、弾性変形可能な接触部３１と、接触部３１から後向きに延在し、折曲がる連接部３２と、回路基板に接続するための端子部３３とを含む。前記接触部３１が第二収容溝１２３、１２４にそれぞれ装着され、第二舌状部１２の頂壁１２１、底壁１２２から突出するように第二収容空間１２０に露出している。
【００２６】
第三端子２４は前記受入溝１２６に装着され、電子装置の高電力を伝送する。前記第三端子２４は、絶縁ハウジング１に保持される保持部２４１と、保持部２４１の一端から先端へ延在する弾性変形可能な接触部２４２と、保持部２４１の他端から偏って延在する偏り部２４３と、偏り部２４３から下向きに延在する端子部２４４と、を含み、第三端子２４は、第二舌状部１２の側壁１２５から突出して第二収容空間１２０に露出している。
【００２７】
図５と図１５を参照すると、第一端子２の連接部２２が第二端子３の連接部３２の外方に位置するので、プラグ２００の挿入する方向において、ソケット１００の厚さＤ１は従来のソケット３００の厚さＤ３よりも大きくなる。
【００２８】
図５を参照すると、ソケット１００は、従来のＵＳＢプラグ（Ｂタイプ）４００を挿入できる第二収容空間１２０と、第二収容空間１２０の上方に位置し、高速信号を伝送するための第一収容空間１１０とを有するので、ソケット１００の伝送速度が向上される。また、本発明に係るソケット１００の高さＨ１＋Ｈ２は従来のＵＳＢソケット３００の高さより高くなる。
【００２９】
前記ソケット１００は、第一端子２と、第二端子３と、第三端子２４との端子部２３、３３、２４４を位置決めするためのベース５を含む。絶縁ハウジング１にはベース５を係合するための後壁１３１が設けられ、ベース５には前記端子部２３、３３、２４４を保持するための孔５１が形成される。端子部２３、３３、２４４がベース５の孔５１に保持されることにより、第一端子２と、第二端子３と、第三端子２４とが回路基板と接続することが容易になる。
【００３０】
図２及び図３を参照すると、金属シェル４は、絶縁ハウジング１を包囲する第一カバー４１と絶縁ハウジング１の後壁１３１を覆う第二カバー４２とを含み、第一カバー４１は、天板４１１と、天板４１１の両側縁から下向きに延在する両側板４１２と、側板４１２の先端から折曲がる先端板４１３と、を含む。また、側板４１２には、前記第二収容空間１２０へ延在し、プラグ２００または従来のＵＳＢプラグ４００に押圧される弾性片４１４と、ベース５を支持し係合するための支持片４１５がそれぞれ形成される。第二カバー４２は、絶縁ハウジング１の後壁１３１を覆う後端板４２１と、後端板４２１の両側縁から前向きに延在し、第一カバー４１と係合する係合部４２２が設けられる。
【００３１】
図６乃至図９を参照すると、前記ソケット１００に挿入されるプラグ２００は、絶縁本体６と、絶縁本体６にそれぞれ装着される第一接続端子７、第二接続端子８、第三接続端子８４と、絶縁本体６を包囲する金属シェル９と、第一接続端子７、第二接続端子８、第三接続端子８４がそれぞれ接続される基板７５と、前記基板７５に接続されるケーブル６０とを含む。  
【００３２】
絶縁本体６は、平板状の隔離板６１と、隔離板６１と対向する下方に在る底板６２と、隔離板６１と底板６２との両側に位置し、隔離板６１と底板６２とを連接する両側壁６３とを含む。
【００３３】
金属シェル９は、一体成型される下方領域９１と、下方領域９１よりも狭い上方領域９２が形成される。その上方領域９２は天板９２１と、天板９２１の両側縁から下向きに延在する第一側板９２２とを含む。前記下方領域９１は、底板９１１と、底板９１１の両側縁から上向きに延在する第二側板９１２とを含み、前記第二側板９１２は絶縁本体６の側壁６３に張り付けるように設けられる。
【００３４】
図９を参照すると、前記隔離板６１の底縁の両端には斜部６１１と角部６１４とが形成される。金属シェル９の第二側板９１２に、前記斜部６１１と角部６１４と係合する、斜板９１３と角状板９１４とが設けられる。
【００３５】
前記天板９２１と、隔離板６１と、第一側板９２２とが第一収容空間６４を形成し、前記隔離板６１と、両側壁６３と、底板６２とが第二収容空間６５を形成する。即ち、第一収容空間６４と第二収容空間６５とは、隔離板６１により分割される。前記隔離板６１は、前記第一収容空間６４に露出する第一側面６１２と、第二収容空間６５に露出する第二側面６１３とを有し、前記底板６２は第二収容空間６５に露出する内壁６２１を有する。
【００３６】
前記第一接続端子７は、高速伝送できる五本の端子であって、隔離板６１の第一側面６１２にそれぞれ装着され、弾性変形可能なコンタクト部７１を有し、コンタクト部７１が前記第一収容空間６４に露出し、ソケット１００の第一端子２の接触部２１と接続できる。
【００３７】
前記第二接続端子８は四本であって、隔離板６１の第二側面６１３と底板６２の内壁６２１とにそれぞれ装着され、平板状のコンタクト部８１を有し、第二接続端子８の配置方式は従来のＵＳＢインターフェースと同様に構成され、ソケット１００の第二端子３の接触部３１と接続できる。
【００３８】
第三接続端子８４は、ソケット１００の第三端子２４と接続して電子設備の高電力を伝送し、第二収容空間６５に突出して両側壁６３に実装される平板状のコンタクト部８５を有する。前記第一接続端子７と、第二接続端子８と、第三接続端子８４とは、基板７５のラインに接続される。また、ケーブル６０も基板７５のラインに接続される為、基板７５を通じて、前記第一接続端子７と、第二接続端子８と、第三接続端子８４と、ケーブル６０との電気的な接続が達成されている。
【００３９】
図１０及び図１１を参照すると、プラグ２００をソケット１００に挿入する時に、プラグ２００の第一接続端子７の弾性変形可能なコンタクト部７１が、ソケット１００の第一端子２の平板状の接触部２１と接続し、プラグ２００の第二接続端子８の平板状のコンタクト部８１が、ソケット１００の第二端子３の弾性変形可能な接触部３１と接続している。同時に、プラグ２００の第三接続端子８４が、ソケット１００の第三端子２４と接続し、電子装置の高電力を伝送できる。
【００４０】
ソケット１００は、ＵＳＢソケット（Ｂタイプ）３００より高速伝送可能な五本の第一端子２を有し、プラグ２００がＵＳＢプラグ（Ｂタイプ）４００より高速伝送可能な五本の第一接続端子7を有するので、本発明に係るソケット１００とプラグ２００とで構成するコネクタ装置（参照記号なし）は、従来のＵＳＢコネクタ装置より伝送速度が更に向上する。
【００４１】
また、本発明に係るコネクタ装置は、ソケット１００の第三端子２４と、プラグ２００の第三接続端子８４とを有することにより、プラグ２００に連接する電子装置が高電力を要求する時に、第三端子２４と、第三接続端子８４とによって電子装置の高電力の伝送を達成できる。また、第三端子２４が第二舌状部１２の側壁１２５に配置されるので、取付部を増加せずに、コネクタ装置の小型化を可能にする。
【００４２】
以上本発明について最良の実施の形態を参照して詳細に説明したが、実施形態はあくまでも例示的なものであり、これらに限定されない。また上述の説明は、本発明に基づきなしうる細部の修正或は変更など、いずれも本発明の請求範囲に属するものとする。
【符号の説明】
【００４３】
１００  ソケット
２００  プラグ
１  絶縁ハウジング
１０  主体部
１１  第一舌状部
１１１  取付壁
１１２  第一収容溝
１２  第二舌状部
１２１  頂壁
１２２  底壁
１２３、１２４  第二収容溝
１２５  側壁
１２６  受入溝
１３  斜部
１４  角部
１１０  第一収容空間
１２０  第二収容空間
２  第一端子
２１、３１、２４２  接触部
２２、３２  連接部
２３、３３、２４４  端子部
２４  第三端子
２４１  保持部
２４３  偏り部
３  第二端子
４  金属シェル
４１  第一カバー
４１１  天板
４１２  側板
４１３  先端板
４１４  弾性片
４１５  支持片
４２  第二カバー
４２１  後端板
４２２  係合部
２００  プラグ
６  絶縁本体
６０  ケーブル
６１  隔離板
６１１  斜部
６１２  第一側面
６１３  第二側面
６１４  角部
６２  底板
６２１  内壁
６３  両側壁
７  第一接続端子
７５  基板
８  第二接続端子
８４  第三接続端子
９  金属シェル
９１  下方領域
９１１  天板
９１３  斜板
９１４  角状板
９１２  第一側板
９２  上方領域
９２１  底板
９２２  第二側板 
【図１】
2010010129.tif 000003
【図２】
2010010129.tif 000004
【図３】
2010010129.tif 000005
【図４】
2010010129.tif 000006
【図５】
2010010129.tif 000007
【図６】
2010010129.tif 000008
【図７】
2010010129.tif 000009
【図８】
2010010129.tif 000010
【図９】
2010010129.tif 000011
【図１０】
2010010129.tif 000012
【図１１】
2010010129.tif 000013
【図１２】
2010010129.tif 000014
【図１３】
2010010129.tif 000015
【図１４】
2010010129.tif 000016
【図１５】
2010010129.tif 000017
【図１６】
2010010129.tif 000018